(57)【特許請求の範囲】
【請求項１】
便器形状を有する便器外郭体の後部の外側面部を側カバーで構成し、該側カバーの内面にストライクを突設すると共に、便器外郭体の内部に配設した内部部材にプッシュラッチを設け、側カバーを内部部材側に向けて押し込むことでストライクをプッシュラッチに係合して側カバーを内部部材に着脱自在に取り付け、ストライクがプッシュラッチに係合した状態にある際に側カバーを更に内部部材側に向けて押し込むことでストライクとプッシュラッチの係合を解除する便器装置において、側カバーの取り付け時において側カバーをストライクがプッシュラッチに係合するようガイドするガイド手段を備え、該ガイド手段を、内部部材に形成したガイド部と、側カバーの内面から突出して側カバーの取り付け時においてガイド部に沿ってスライドさせる被ガイド片とで構成し、ストライクとプッシュラッチの係合を解除するにあたって側カバーを内部部材側に押し込んだ際において被ガイド片がガイド部に沿ってスライドすることを特徴とする便器装置。
【発明の詳細な説明】
【技術分野】
【０００１】
本発明は便器外郭体に内装装置や内部構造体等の内部部材を配設した便器装置に関する。
【背景技術】
【０００２】
近年図１０に示す便器装置が利用されており、この便器装置は便器形状を有する複数のパーツで構成された便器外郭体４の内部に温水洗浄装置等の内装装置７５や支持フレーム等の内部構造体を配設している。
【０００３】
上記便器外郭体４を構成する複数のパーツのうち、後部の外側面部を構成する側カバーは、図１１に示すように側カバー７７の内面に突設したストライクからなる係合部７８を内部部材に設けたラッチからなる被係合部７９に係合することで内部部材に対して着脱自在に取り付けてあり、側カバー７７を取り外すことによって形成される開口部から内装装置のメンテナンス等を行えるようになっている。
【０００４】
ここで、上記側カバー７７の内部部材への取り付けの際には、側カバー７７から突出する係合部７８を被係合部７９に位置を合わせる必要があり煩雑である。また、特に便器装置が狭いトイレ室内に設置される場合等にあっては、便器装置とトイレ室の壁との間に形成される狭い隙間から側カバー７７を取り付ける必要があり、このように狭い隙間から前述のように係合部７８と被係合部７９の位置を合わせながら側カバー７７を取り付ける作業は困難なものとなる。また、上記側カバー７７は壁に立て掛ける等する場合があるが、この側カバー７７が倒れた際には側カバー７７の内面から突出する係合部７８が床に当たって変形したり破損したりする恐れがある。
【０００５】
なお、例えば特許文献１に示すように、取付部材にガイド手段を設けることで、取付部材の取り付けの際にガイドを行う技術は例えば特許文献１に開示してあるが、上記問題点を解決した便器装置は未だ想起されていないのが現状である。
【特許文献１】特開平９−７６５２６号公報
【発明の開示】
【発明が解決しようとする課題】
【０００６】
本発明は上記従来の問題点に鑑みてなされたものであって、便器装置が狭いトイレ室内に設置される場合等においても側カバーを容易に取り付けることができ、且つ、側カバーから突出した被係合部の変形や破損を防止できる便器装置を提供することを課題とする。
【課題を解決するための手段】
【０００７】
上記課題を解決するために本発明に係る便器装置は、便器形状を有する便器外郭体４の後部の外側面部を側カバー３７、３８で構成し、該側カバー３７、３８の内面にストライク４４を突設すると共に、便器外郭体４の内部に配設した内部部材にプッシュラッチを設け、側カバー３７、３８を内部部材側に向けて押し込むことでストライク４４をプッシュラッチに係合して側カバー３７、３８を内部部材に着脱自在に取り付け、ストライク４４がプッシュラッチに係合した状態にある際に側カバー３７、３８を更に内部部材側に向けて押し込むことでストライク４４とプッシュラッチの係合を解除する便器装置において、側カバー３７、３８の取り付け時において側カバー３７、３８をストライク４４がプッシュラッチに係合するようガイドするガイド手段を備え、該ガイド手段を、内部部材に形成したガイド部６８と、側カバー３７、３８の内面から突出して側カバー３７、３８の取り付け時においてガイド部６８に沿ってスライドさせる被ガイド片７０とで構成し、ストライク４４とプッシュラッチの係合を解除するにあたって側カバー３７、３８を内部部材側に押し込んだ際において被ガイド片７０がガイド部６８に沿ってスライドすることを特徴とする。
【発明の効果】
【０００８】
本発明では、側カバーの取り付け時において、側カバーの内面から突出した被ガイド片を内部部材に設けたガイド部に沿ってスライドさせ、側カバーをストライクがプッシュラッチに係合するようガイドでき、これにより側カバーの取り付け時におけるストライクとプッシュラッチの位置合わせが容易になり、便器が狭いトイレ室内に設置される場合等においても側カバーを容易に取り付けることができる。また、被ガイド片は側カバーの内面から突出したものであるので、例えば壁に立て掛ける等した側カバーが倒れた場合に、側カバーから突出した被係合部が直接床に当たり難くなり、ストライクの変形や破損を防止できる。
【発明を実施するための最良の形態】
【０００９】
以下、本発明を添付図面に示す実施形態に基づいて説明する。なお、以下の説明に用いられる方向は用を足す際に便座１に着座した人から見た方向を基準とする。
【００１０】
図１乃至図９に示す本実施形態の便器装置２は、ボウル部３を備えた便器形状を有する合成樹脂製の便器外郭体４と、便器外郭体４に内装されて便器外郭体４を支持・補強する金属製の支持フレーム５を備えている。
【００１１】
図２及び図３に示すように、支持フレーム５は、床に設置される平面視環状の下フレーム材６と、下フレーム材６の後部の両側に立設した後フレーム材７を備えている。各後フレーム材７の上端部は前方に向けて折曲されて前後に長い上フレーム部８を構成している。
【００１２】
下フレーム材６の後部にはトラップケース９が取り付けられる。トラップケース９に内装されるトラップはターントラップ方式のもので、図４に示すようにフレキシブルなトラップ筒１１により構成される。トラップ筒１１の一端はボウル部３の下部から後方に突出する排水筒部１２に接続され、他端は自由端となる。
【００１３】
トラップ筒１１はトラップケース９に設けたモータにより回動させることで、自由端側の開口を上向きとしたトラップ構造を形成する状態と、自由端側の開口を下向きとして前記トラップ構造を解除して排水される状態とを選択できるようになっている。トラップケース９は床等に設けた排出孔（図示せず）に連通接続され、前述のトラップ筒１１のトラップ構造を解除することで、ボウル部３内の溜め水はトラップ筒１１及びトラップケース９を介して排出孔から排出される。
【００１４】
便器外郭体４は後方に開口する前パーツＦと前方に開口する後パーツＲで構成される。
【００１５】
図２に示すように、便器外郭体４の前側の外郭を構成する前パーツＦは、平面視面略Ｕ字状のスカート部１３と、スカート部１３内に位置するボウル部３と、ボウル部３上に位置するリム部１４とで構成され、これら合成樹脂製のスカート部１３、ボウル部３、リム部１４は溶着又は接着により固着一体化してある。
【００１６】
ボウル部３の外側を覆うスカート部１３の下端部の内側には下フレーム材６の前部が嵌め込まれ、この支持フレーム５にねじ具等によりスカート部１３を固着することで前パーツＦは支持フレーム５に対して取り付けられる。
【００１７】
リム部１４は前パーツＦの上面を構成して便座１を載置するための便座載部１５を備えている。
【００１８】
便器外郭体４の後部の上部には内装ユニット１６が内装される。内装ユニット１６は、温水洗浄装置２０、脱臭装置、制御回路等の便器内装機器を一群にまとめて機器ケース２１内に設けることで構成される。
【００１９】
加えて、機器ケース２１には洗浄液吐出装置２２を設けている。洗浄液吐出装置２２はボウル部３内に水又は水に界面活性剤を含む洗剤を混合してなる洗浄液のいずれかを選択的に吐出してボウル部３の内面を洗浄する。
【００２０】
図４に示すように、洗浄液吐出装置２２は、ボウル部３に水を供給する給水路２３と、循環洗剤流路２４を備えている。
【００２１】
給水路２３は図示しない水道管に接続される。給水路２３の上流部には電磁弁からなる給水制御弁２５を設けてあり、該給水制御弁２５を開閉することにより給水路２３への水の供給の有無が切り替えられる。
【００２２】
給水路２３の下流側端部には混合装置２６を設けている。混合装置２６には一端を大気に開放した空気供給路２７の他端が接続される。また、混合装置２６は洗剤供給路２８を介して循環洗剤流路２４に接続してある。
【００２３】
循環洗剤流路２４の途中には循環ポンプ２９と洗剤タンク３０を設けてあり、循環ポンプ２９を運転して洗剤タンク３０内の洗剤を循環洗剤流路２４に循環させることが可能となっている。
【００２４】
洗剤供給路２８には弁３４を設けてあり、弁３４は循環ポンプ２９の運転時には開き、停止時には閉じるように設定してある。これにより循環ポンプ２９の停止時において循環洗剤流路２４から給水路２３側に洗剤が漏れることが防止される。
【００２５】
上記洗浄液吐出装置２２を用いてボウル部３に水を供給するには、循環ポンプ２９を停止した状態で給水制御弁２５を開く。これにより、水道管からの水が給水路２３を経てボウル部３内へと水が吐出される。また、この時、混合装置２６内に上流側の給水路２３から水が流れこむことにより、外部の空気が空気供給路２７を介して混合装置２６内を流れる水に混入される。そして、このようにエジェクタ効果により気泡が混合された水は、混合装置２６内に設けた図示しない気泡微細化手段により気泡が微細化された後、ボウル部３に吐出される。
【００２６】
また、上記洗浄液吐出装置２２を用いてボウル部３に洗剤を混合した水を供給するには、循環ポンプ２９を運転した状態で給水制御弁２５を開く。この場合も上記と同様に水道管から給水路２３に流れこんだ水には空気供給路２７を介して空気が混入されるが、このとき混合装置２６を流れる水にはエジェクタ効果により循環洗剤流路２４を循環する洗剤の一部が洗剤供給路２８を介して混入される。従って、この場合は、水に洗剤を混合し且つ微小化された気泡を含む洗浄液がボウル部３に吐出される。
【００２７】
上記のように微小気泡を含む水又は洗浄液をボウル部３に吐出した場合、この水又は洗浄液はボウル部３の上部内面に略水平に吐出されることでボウル部３の内面に沿って周回しつつ汚れを落としていく。この時水又は洗浄液に含まれる微小気泡がボウル部３の内面の衝突した際に高周波振動を引き起こし、これによりボウル部３の内面を効率良く洗浄できる。また、ボウル部３に吐出されるのが洗剤を含む洗浄液の場合には、洗剤が有する洗浄効果によりボウル部３の内面を一層綺麗に洗浄できる。
【００２８】
上記内装ユニット１６の前部は前パーツＦの上部に挿入され、この状態で機器ケース２１は支持フレーム５の後部両側に立設した後フレーム材７の上フレーム部８上に載置され、ボルトにより上フレーム部８に固着される。
【００２９】
上記により、内装ユニット１６の機器ケース２１上に設けた温水洗浄装置２０の局部洗浄ノズル３５はボウル部３内に臨む。また、上記のように内装ユニット１６を前パーツＦに挿入することで、混合装置２６がボウル部３の後方に開口する給水口に嵌め込まれ、ボウル部３内に連通する。
【００３０】
後パーツＲは、上カバー３６及び両側の側カバー３７、３８及び背面カバー３９で構成され、該後パーツＲの上部に内装ユニット１６の後部が収納される。
【００３１】
上カバー３６は機器ケース２１の後部に着脱自在に取り付けられ、該上カバー３６により内装ユニット１６の上側が覆われる。また、上カバー３６には便座１や便蓋４０が回動自在に取り付けられる。
【００３２】
背面カバー３９は支持フレーム５や上カバー３６に着脱自在に取り付けられ、該背面カバー３９により機器ケース２１や機器ケース２１の下方に位置するトラップケース９の後方が覆われる。
【００３３】
両側の側カバー３７、３８は後述のように機器ケース２１に着脱自在に取り付けられ、各側カバー３７、３８により機器ケース２１やトラップケース９の側方が覆われる。また、図２に示すように両側の側カバー３７、３８のうち左側の側カバー３７の上部の中央部には切欠からなる開口部４１を形成してある。この側カバー３７の開口部４１からは機器ケース２１の側面に着脱自在に取り付けたタンクホルダ４２及びこのタンクホルダ４２に着脱自在に嵌め込まれて保持された洗剤タンク３０が突出する。また、このタンクホルダ４２及び洗剤タンク３０、及び側カバー３７の開口部４１は、機器ケース２１に着脱自在に設けたタンクカバー３１によって覆われる。
【００３４】
図５に示す左側の側カバー３７及び図６に示す右側の側カバー３８の夫々の内面には、被係合部４３を構成する１個のストライク４４と、複数の面ファスナー４５と、複数の載置部４６が設けられている。
【００３５】
各側カバー３７、３８のストライク４４は側カバー３７、３８の上部から機器ケース２１側に向けて一体に突出し、後述の機器ケース２１の外側面に設けた係合部４７を構成するラッチ４８に着脱自在に係合される。
【００３６】
各側カバー３７、３８に設けたストライク４４は側カバー３７、３８の上部の前部に設けられ、左側の側カバー３７のストライク４４は開口部４１の前方部に設けてある。図７に示すように各ストライク４４の先端部は基端側より膨大した膨大部４９となっている。
【００３７】
左側の側カバー３７の面ファスナー４５は側カバー３７の後部の２箇所と前部の１箇所に設けてある。側カバー３７の後部に設けた面ファスナー４５のうち、一方の面ファスナー４５（以下、面ファスナー４５ａという）は開口部４１の後方に位置し、機器ケース２１の外側面に設けた面ファスナー５０ａに着脱自在に取り付けられる。また、側カバー３７の後部に設けた他方の面ファスナー４５（以下、面ファスナー４５ｂという）及び前部に設けた面ファスナー４５（以下、面ファスナー４５ｃという）は面ファスナー４５ａ及びストライク４４よりも下方に位置し、面ファスナー４５ｂは背面カバー３９に設けた面ファスナー５０ｂに、面ファスナー４５ｃは前パーツＦのスカート部１３に設けた面ファスナー５０ｃに、夫々着脱自在に取り付けられる。
【００３８】
右側の側カバー３８の面ファスナー４５は側カバー３８の前後の２箇所に設けてあり、これら面ファスナー４５はストライク４４よりも下方に位置している。このうち後側に設けた面ファスナー４５は背面カバー３９に設けた面ファスナー（図示せず）に、前側に設けた面ファスナー４５はスカート部１３に設けた面ファスナー（図示せず）に、夫々着脱自在に取り付けられる。
【００３９】
載置部４６は各側カバー３７、３８の下部の前後２箇所に設けてあり、側カバー３７、３８の内面から機器ケース２１側に向けて突出している。各載置部４６は支持フレーム５の下フレーム材６の後部上に載置される。
【００４０】
一方、機器ケース２１の両側の外側面の前部には係合部４７としてラッチ４８を設けている。各ラッチ４８は係合状態にあるストライク４４をラッチ４８側に押し込むことによりストライク４４との係合が解除されるいわゆるプッシュラッチである。
【００４１】
図８に示すように、ラッチ４８は、一端が便器装置２の外側方に向けて開口した略箱状のハウジング５１と、ハウジング５１に便器装置２の左右方向にスライド自在に収容されるボディ５２とで構成される。
【００４２】
ハウジング５１の開口５１ａ側の端部は奥側よりも膨大した枠部５４となっている。また、ハウジング５１の枠部５４よりも奥側の部分にはハウジング５１の外側に向けて突出する係合爪５５を形成している。
【００４３】
ハウジング５１は、機器ケース２１に設けた取付孔５６に挿通し、取付孔５６の縁部の外面側に枠部５４を当接すると共に内面側に各係合爪５５を係合することで、機器ケース２１に取り付けられる。
【００４４】
ボディ５２のハウジング５１の開口５１ａ側の端部からは一対のアーム５７が先端部へ行く程互いに離間する方向に向かって延出している。一対のアーム５７は互いに近づく方向に弾性変形可能であり、各アーム５７の先端部には他方のアーム５７側に突出する係止部５９を形成している。
【００４５】
図９に示すようにボディ５２とハウジング５１の奥壁６０との間にはばね６１を設けてあり、ばね６１によりボディ５２はハウジング５１の開口５１ａ側に付勢される。ボディ５２の外面にはストッパ６２を突設してある。ストッパ６２はハウジング５１に形成した長孔６３にスライド自在に挿入してあり、図９に示すようにボディ５２がハウジング５１の開口５１ａ側に移動するとストッパ６２は長孔６３の縁部に当たって、ボディ５２がハウジング５１から抜け出ることが防止される。
【００４６】
ボディ５２の前後両側の外側面には、略ハート形のカム６４が形成してあると共にカム６４の外周縁にカム溝６５を形成してある。
【００４７】
図９に示すようにハウジング５１内には揺動ピン６６を収納している。揺動ピン６６は略コ字状に形成され、その中間部６６ａがハウジング５１の奥側端部に上下軸回りに回動自在に連結してある。揺動ピン６６の中間部６６ａの両端から直角に突出する両側部分６６ｂの端部６６ｃはその端面同士が対面するように折り曲げられ、両側の端部６６ｃはカム溝６５にスライド自在に収納されている。
【００４８】
また、揺動ピン６６は自身の弾性により揺動ピン６６の両側の端部６６ｃが前後方向における一方側（図８の紙面上側）に付勢されるハウジング５１に設けられている。また、前述の各カム溝６５の溝底には揺動ピン６６の移動を規制する段差６７を設けてあり、これにより後述のストライク４４の係合時及び係合解除時において揺動ピン６６の端部６６ｃがカム６４の外周面に沿ってカム溝６５の周方向における一方向に移動するように規制してある。
【００４９】
ラッチ４８にストライク４４を係合していない状態では、図８（ａ）に示すようにばね６１の付勢によりボディ５２がハウジング５１の開口５１ａ側に移動し、一対のアーム５７がハウジング５１の開口５１ａからハウジング５１外に向けて突出する。この時、一対のアーム５７はその先端部同士が離間して開いている。
【００５０】
そして上記図８（ａ）に示すラッチ４８にストライク４４を係合するには、ストライク４４を一対のアーム５７間に挿入し、ここからストライク４４をハウジング５１の奥側に移動する。
【００５１】
上記によりボディ５２はストライク４４に押圧されてばね６１に抗してハウジング５１の奥側に移動し、このとき枠部５４の内面によって一対のアーム５７は先端部が近づくように弾性変形して図８（ｂ）に示すように閉じた状態となる。そしてこの一対のアーム５７の係止部５９によってストライク４４の基部が挟持され、且つ、膨大部４９の基端側の面に各アーム５７の係止部５９が係止される。また、この時、揺動ピン６６の両側の端部６６ｃはカム溝６５内を移動してハート形のカム６４の凹部６４ａに係合し、ボディ５２はハウジング５１の開口５１ａ側に移動できない状態となる。
【００５２】
図８（ｂ）に示すラッチ４８に係合したストライク４４の係合を解除するには、ストライク４４をハウジング５１の奥側に押圧し、該ストライク４４により図８（ｃ）に示すようにばね６１に抗してボディ５２をさらにハウジング５１の奥側に移動する。これにより揺動ピン６６の両側の端部６６ｃは各カム溝６５の紙面右側且つ上側の端部に移動して各カム６４との係合が解除され、ボディ５２はばね６１の付勢により図８（ａ）に示す状態まで移動する。
【００５３】
上記により一対のアーム５７はハウジング５１の開口５１ａからハウジング５１の外側に突出し、一対のアーム５７は図８（ａ）に示すように先端部同士が離間した状態に弾性復帰し、上記一対のアーム５７とストライク４４の係合が解除される。なお、この時揺動ピン６６の両側の端部６６ｃは各カム溝６５におけるハウジング５１の奥側に移動するため、ボディ５２はハウジング５１の開口５１ａ側に支障なく移動できる。
【００５４】
ここで、本実施形態の便器装置２は各側カバー３７、３８の取り付け時において側カバー３７、３８をストライク４４がラッチ４８に係合するようガイドするガイド手段を備えており、以下ガイド手段について詳述する。
【００５５】
図１に示すように上記ラッチ４８を設けた機器ケース２１の両側の外側面におけるラッチ４８の前後方向の両側にはガイド部６８として縦長のガイド溝６９を形成してあり、各ガイド溝６９の前後両側の内面は前後方向に略垂直な面となっている。また、各側カバー３７、３８の内面におけるストライク４４の前後両側には機器ケース２１側に向けて突出する被ガイド片７０を一体形成してある。
【００５６】
各被ガイド片７０はストライク４４の上下厚み寸法よりも上下幅が大きい縦長板状に形成され、ストライク４４よりも機器ケース２１側に突出している。また、各被ガイド片７０の先部７０ａは先端側に行く程上下幅が小さくなる先細形状に形成してある。そして上記被ガイド片７０とガイド溝６９とでガイド手段を構成している。
【００５７】
上記各側カバー３７、３８は例えば以下のように便器外郭体４の外側から取り付けや取り外しが行われる。
【００５８】
側カバー３７、３８を便器装置２に取り付ける場合、まず側カバー３７、３８のストライク４４の両側に設けた各被ガイド片７０の先部７０ａをラッチ４８の両側に設けたガイド溝６９に夫々挿入する。これにより側カバー３７、３８に設けたストライク４４は略ラッチ４８に対応する箇所に配置される。
【００５９】
次に、上記側カバー３７、３８を便器外郭体４の内側に向けて押し込んで、図８（ｂ）に示すように各被ガイド片７０の先部７０ａよりも基端側の部分をガイド溝６９に挿入し、これによりストライク４４を機器ケース２１の外側面に設けたラッチ４８に係合し、且つ、各面ファスナー４５を対応する面ファスナー５０ａ〜５０ｃに取り付け、且つ、各載置部４６を下フレーム材６上に載置する。これによって側カバー３７、３８は便器装置２に取付けられる。
【００６０】
ここで、上記側カバー３７、３８の取付時において各被ガイド片７０をガイド溝６９に挿入している時には、各被ガイド片７０はガイド溝６９の内面に沿ってガイド溝６９の奥側に移動する。このため側カバー３７、３８はストライク４４がラッチ４８に係合するまで前後方向及び上下方向に位置決めされた状態で便器外郭体４の内側に移動する。
【００６１】
従って、上記のように各被ガイド片７０をガイド溝６９に挿入することにより、ストライク４４とラッチ４８の位置を合わせると共に、側カバー３７、３８の取り付け時の移動方向を規制でき、これによりストライク４４をラッチ４８に容易且つ確実に係合することができる。
【００６２】
また、便器外郭体４の内装装置のメンテナンス等を行う際には、便器外郭体４の後部の外側面部を構成する各側カバー３７、３８を便器装置２から取り外して開口部を形成する。
【００６３】
側カバー３７、３８を便器装置２から取り外すには、上記取り付け状態にある側カバー３７、３８を便器外郭体４の内側に向けて押し込む。これにより、既述のようにストライク４４とラッチ４８の係合は解除される。この時、各被ガイド片７０はガイド溝６９の内面に沿ってガイド溝６９の奥側に移動する。このため前記ストライク４４とラッチ４８の係合を確実に解除することができる。そして、このようにストライク４４とラッチ４８の係合を解除した状態で側カバー３７、３８を便器外郭体４の外側に移動して各面ファスナー４５を面ファスナー５０から取り外す。
【００６４】
以上説明した本実施形態の便器装置２は、既述のガイド手段により側カバー３７、３８の取り付け時において側カバー３７、３８をストライク４４がラッチ４８に挿入係合するようガイドすることができ、側カバー３７、３８の取り付けが容易になり、特に便器が狭いトイレ室内に設置される場合等においては有効である。
【００６５】
また、上記ガイド手段を構成する被ガイド片７０は側カバー３７、３８の内面から突出したものであるので、例えば壁に立て掛ける等した側カバー３７、３８が倒れた場合に、被ガイド片７０が床に当たることとなり、これによりストライク４４が床に当たって変形したり破損したりすることを防止できる。
【００６６】
なお、本実施形態では側カバー３７、３８の被係合部４３を機器ケース２１に設けた係合部４７に着脱自在に係合したが、側カバー３７、３８の被係合部４３が取り付けられる係合部４７は便器外郭体４の内部に配設されるその他の機器や、支持フレーム５からなる内部構造体等に設けても良く、即ち、被係合部４３は便器外郭体４の内部に配設される内部部材に設けてあれば良い。また、同様にガイド部６８も便器外郭体４の内部に配設される内部部材に設けてあれば良いものとする。
【図面の簡単な説明】
【００６７】
【図１】本発明の実施の形態の一例の側カバーの取り付けを示す斜視図である。
【図２】同上の便器装置の分解斜視図である。
【図３】同上の側カバーを取り外した便器装置を示し、（ａ）は側面図であり、（ｂ）は背面図である。
【図４】同上の便器装置の説明図である。
【図５】同上の左側の側カバーの右側面図である。
【図６】同上の右側の側カバーの左側面図である。
【図７】同上の左側の側カバーの要部斜視図である。
【図８】（ａ）は同上の便器装置の機器ケースにラッチを取り付けた状態を示す水平断面図であり、（ｂ）は同上のラッチにストライクを係合した状態を示す水平断面図であり、（ｃ）は（ｂ）の状態からストライクをラッチ側に押し込んだ状態を示す水平断面図である。
【図９】同上のラッチの側断面図である。
【図１０】従来の便器装置の分解斜視図である。
【図１１】同上の側カバーの取り付けを示す斜視図である。
【符号の説明】
【００６８】
４  便器外郭体
３７  側カバー
３８  側カバー
４３  被係合部
４７  係合部
６８  ガイド部
７０  被ガイド片
【図１】
0005113608.tif 000002
【図２】
0005113608.tif 000003
【図３】
0005113608.tif 000004
【図４】
0005113608.tif 000005
【図５】
0005113608.tif 000006
【図６】
0005113608.tif 000007
【図７】
0005113608.tif 000008
【図８】
0005113608.tif 000009
【図９】
0005113608.tif 000010
【図１０】
0005113608.tif 000011
【図１１】
0005113608.tif 000012